(57)【要約】      （修正有）【課題】鍋料理の食事中に異なる機能のスプーンを用意しなければならず、その数が多すぎてテーブルを占領し、食事者に迷惑をかけてしまう、という問題を解決する油吸収紙に合わせて用いられるストレーナースプーン及びプレス装置を提供する。【解決手段】柄部１２、皿部１４、及び少なくとも一つのプレスユニット１６を備えるストレーナースプーン１０であって、皿部は柄部の一端に設けられるとともに、少なくとも一つの濾し孔１４１が形成され、且つその縁部に設けられた少なくとも一つの連結構造１４２を更に備える。プレスユニットはプレス部１６２と、連結構造に可動的に連結された連結部１６１とを有する。皿部に油吸収紙が敷設され、プレスユニットは、プレス部が油吸収紙を皿部に押し付けられるように、連結部を介して連結構造に対して移動する。【選択図】図１Ａ
0003234235.tif 000002
【実用新案登録請求の範囲】
【請求項１】
柄部と、
前記柄部の一端に設けられるとともに、少なくとも一つの濾し孔が形成される皿部と、前記皿部の縁部に更に設けられる少なくとも一つの連結構造と、
プレス部、及び前記連結構造に可動的に連結される連結部を有する少なくとも一つのプレスユニットと、を備え、油吸収紙に合わせるために用いられるストレーナースプーンにおいて、
前記油吸収紙が前記皿部に敷設され、
前記プレス部が前記油吸収紙を前記皿部に押し付けられるように、前記プレスユニットが前記連結部を介して、前記連結構造に対して移動することを特徴とする、ストレーナースプーン。
【請求項２】
前記皿部は、前記皿部の縁部の対向する両側にそれぞれ設けられる二つの前記連結構造を有し、前記ストレーナースプーンは、二つの前記プレスユニットを有し、それら前記プレスユニットの前記連結部はそれら前記連結構造にそれぞれ可動的に連結される、請求項１に記載のストレーナースプーン。
【請求項３】
前記連結構造と前記連結部は、それぞれ穿孔や環状部材であり、前記連結部を前記連結構造に対して摺動させる、請求項１に記載のストレーナースプーン。
【請求項４】
前記連結構造が前記穿孔である場合、前記連結構造は前記皿部の縁部の内側に設けられ、前記連結構造が前記環状部材である場合、前記連結構造は前記皿部の縁部の外側に突設される、請求項３に記載のストレーナースプーン。
【請求項５】
前記連結構造と前記連結部は、それぞれ回転軸や嵌め環であり、前記連結部を前記連結構造に対して回転させる、請求項１に記載のストレーナースプーン。
【請求項６】
前記皿部の開口の形状は、円形、楕円形、多辺形、又は不規則な形状である、請求項１に記載のストレーナースプーン。
【請求項７】
柄部と、前記柄部の一端に設けられるとともに、少なくとも一つの濾し孔が形成される皿部とを備えるストレーナースプーンに結合、並びに油吸収紙に合わせるために用いられるプレス装置において、
前記プレス装置は、
接合機構、及び前記接合機構の一方側に設けられた連結構造を有する接合部と、
前記連結構造に可動的に連結される連結部、及びプレス部を有する少なくとも一つのプレスユニットと、を備え、
前記油吸収紙が前記皿部に敷設され、前記接合機構が前記皿部の縁部に接合され、
前記プレス部が前記油吸収紙を前記皿部に押し付けられるように、前記プレスユニットが前記連結部を介して、前記連結構造に対して移動することを特徴とする、プレス装置。
【請求項８】
前記連結構造と前記連結部は、それぞれ穿孔や環状部材であり、前記連結部を前記連結構造に対して摺動させる、請求項７に記載のプレス装置。
【請求項９】
前記連結構造と前記連結部は、それぞれ回転軸や嵌め環であり、前記連結部を前記連結構造に対して回転させる、請求項７に記載のプレス装置。
【考案の詳細な説明】
【技術分野】
【０００１】
本考案はストレーナースプーン及びプレス装置に関し、特に油吸収紙に合わせて用いられるストレーナースプーン及びプレス装置に関する。
【背景技術】
【０００２】
鍋料理はかなり一般的な調理方法である。特に、卓上鍋文化は世界の各国で普及している最中で、東南アジア諸国でかなり人気が高く、その中でもマーラー火鍋は、台湾やその他の地域又は国でとても流行っている。
【０００３】
鍋料理を食べる際は、一般的にスプーンと一緒に用いられ、よく見かけるスプーンの種類はスープスプーンとストレーナースプーンがある。一般的な使用方法によれば、スープスプーンは鍋の中の食材やスープをすくうことができ、ストレーナースプーンはスープ及びスープ上層に浮かんだ油（例えば浮かんだマーラー油）を排除して、鍋の中の食材だけをすくい出すことができる。
【０００４】
しかしながら、食材を煮込む過程で、食材における一部の脂質とタンパク質などは、食材から溶け出して煮汁にしみこんで、その溶け出した成分は、通常スープの表面に浮かびながら集まった余分な油及び／又は灰汁を形成し、料理の美味さに影響する可能性がある。よって、浮かんだ油と灰汁、或いはマーラー火鍋上層に浮かんだ余分なマーラー油を適時に取り除くために、店や食事者は通常油切り用のストレーナーを更に用意している。
【０００５】
また、気配り上手な店は、異なる食材に対して異なる機能のスプーンを用意し、例えば豆腐調理専用の豆腐用スプーン或いはシーフード調理専用の網スプーンなどを提供する。ただし、これらの様々なスプーンはテーブルを占領し、確実に食事者に迷惑をかけてしまう。
【０００６】
よって、食事中に必要なスプーンの数を効果的に減らしたり、又は一つのスプーンに複数の機能性を持たせたりする解決方案を如何に提供するかは、現在の重要な課題の一つである。
【考案の概要】
【考案が解決しようとする課題】
【０００７】
本考案は、食事中に異なる機能のスプーンを用意しなければならず、且つその数が多すぎてテーブルを占領し、食事者に迷惑をかけてしまう、という従来の鍋料理における問題点を解決する。
【０００８】
上記課題により、本考案の目的は、ストレーナースプーンに特別な油切り機能を追加することができるストレーナースプーン及びプレス装置を提供することで、食事中に必要なスプーンの数を効果的に減らしたり、又は当該スプーンに第二の機能性を持たせたりすることによって、食事者の食事体験と快適性をさらに向上させることにある。
【課題を解決するための手段】
【０００９】
上記目的を達成するために、本考案は、柄部と、皿部と、少なくとも一つのプレスユニットとを備え、油吸収紙に合わせて用いられるストレーナースプーンを提供する。本考案のストレーナースプーンは、柄部と、前記柄部の一端に設けられるとともに、少なくとも一つの濾し孔が形成される皿部と、前記皿部の縁部に更に設けられる少なくとも一つの連結構造と、プレス部、及び前記連結構造に可動的に連結される連結部を有する少なくとも一つのプレスユニットと、を備える。本考案を使用するとき、前記油吸収紙が前記皿部に敷設され、前記プレス部が前記油吸収紙を前記皿部に押し付けられるように、前記プレスユニットが前記連結部を介して、前記連結構造に対して移動する。
【００１０】
好適な実施例として、前記皿部は、前記皿部の縁部の対向する両側にそれぞれ設けられる二つの前記連結構造を有し、前記ストレーナースプーンは、二つの前記プレスユニットを有し、それら前記プレスユニットの前記連結部はそれら前記連結構造にそれぞれ可動的に連結される。
【００１１】
好適な実施例として、前記連結構造と前記連結部は、それぞれ穿孔や環状部材であり、前記連結部を前記連結構造に対して摺動させる。
【００１２】
好適な実施例として、前記連結構造が穿孔である場合、前記連結構造は前記皿部の縁部の内側に設けられ、前記連結構造が環状部材である場合、前記連結構造は前記皿部の縁部の外側に突設される。
【００１３】
好適な実施例として、前記連結構造と前記連結部は、それぞれ回転軸や嵌め環であり、前記連結部を前記連結構造に対して回転させる。
【００１４】
好適な実施例として、前記皿部の開口の形状は、円形、楕円形、多辺形、又は不規則な形状である。
【００１５】
また、上記目的を達成するために、本考案は、ストレーナースプーンに結合、並びに油吸収紙に合わせるために用いられるプレス装置を提供する。前記ストレーナースプーンは、柄部と、前記柄部の一端に設けられるとともに、少なくとも一つの濾し孔が形成される皿部とを備える。前記プレス装置は、接合機構、及び前記接合機構の一方側に設けられた連結構造を有する接合部と、前記連結構造に可動的に連結される連結部、及びプレス部を有する少なくとも一つのプレスユニットと、を備える。本考案を使用するとき、前記油吸収紙が前記皿部に敷設され、前記接合機構が前記皿部の縁部に接合され、前記プレス部が前記油吸収紙を前記皿部に押し付けられるように、前記プレスユニットが前記連結部を介して、前記連結構造に対して移動する。
【００１６】
好適な実施例として、前記連結構造と前記連結部は、それぞれ穿孔や環状部材であり、前記連結部を前記連結構造に対して摺動させる。
【００１７】
好適な実施例として、前記連結構造と前記連結部は、それぞれ回転軸や嵌め環であり、前記連結部を前記連結構造に対して回転させる。
【００１８】
以上をまとめると、本考案は、柄部と、皿部と、少なくとも一つのプレスユニットとを備えるストレーナースプーンを提供する。前記皿部は少なくとも一つの連結構造を備え、前記プレスユニットはプレス部、及び前記連結構造に可動的に連結される連結部を有する。本考案を使用するとき、前記油吸収紙が前記皿部に敷設され、前記プレス部が前記油吸収紙を前記皿部に押し付けられるように、前記プレスユニットが前記連結部を介して、前記連結構造に対して移動する。よって、本考案はストレーナースプーンと油吸収紙との組み合わせにより、ストレーナースプーンに特別な油切り機能を追加し、食事中に必要なスプーン（例えば油切り用のストレーナー）の数を効果的に減らしたり、又は当該スプーンに第二の機能性を持たせたりして、食事者の食事体験と快適性をさらに向上させることができる。
【００１９】
また、本考案は、接合機構、及び前記接合機構の一方側に設けられた連結構造を有する接合部と、前記連結構造に可動的に連結される連結部、及びプレス部を有する少なくとも一つのプレスユニットと、を備えるプレス装置を提供する。本考案を使用するとき、前記接合機構が前記皿部の縁部に接合され、前記油吸収紙が前記皿部に敷設され、前記プレス部が前記油吸収紙を前記皿部に押し付けられるように、前記プレスユニットが前記連結部を介して、前記連結構造に対して移動する。よって、本考案はプレス装置を介したストレーナースプーンと油吸収紙との組み合わせにより、ストレーナースプーンに特別な油切り機能を追加し、食事中に必要なスプーン（例えば油切り用のストレーナー）の数を効果的に減らしたり、又は当該スプーンに第二の機能性を持たせたりして、食事者の食事体験と快適性をさらに向上させることができる。
【考案の効果】
【００２０】
本考案は、ストレーナースプーンと油吸収紙との組み合わせ、又はプレス装置を介したストレーナースプーンと油吸収紙との組み合わせにより、ストレーナースプーンに特別な油切り機能を追加し、食事中に必要なスプーン（例えば油切り用のストレーナー）の数を効果的に減らしたり、又は当該スプーンに第二の機能性を持たせたりして、食事者の食事体験と快適性をさらに向上させることができる。
【図面の簡単な説明】
【００２１】
【図１Ａ】本考案の好ましい実施例のストレーナースプーンの概略図である。
【図１Ｂ】図１Ａのストレーナースプーンが油吸収紙に合わせて応用される概略図である。
【図２Ａ】異なる実施形態の皿部を有するストレーナースプーンの概略図である。
【図２Ｂ】異なる実施形態の皿部を有するストレーナースプーンの概略図である。
【図３Ａ】異なる実施形態の連結構造及びプレスユニットの概略図である。
【図３Ｂ】異なる実施形態の連結構造及びプレスユニットの概略図である。
【図３Ｃ】異なる実施形態の連結構造及びプレスユニットの概略図である。
【図４Ａ】本考案の好ましい実施例のプレス装置の概略図である。
【図４Ｂ】図４Ａのプレス装置がストレーナースプーンに応用される概略図である。
【図４Ｃ】図４Ａのプレス装置がストレーナースプーンに応用され、且つ油吸収紙が合わせて使用される概略図である。
【考案を実施するための形態】
【００２２】
以下にて関連する図面を参照し、同じ構成要素には同じ符号を付して、本考案のストレーナースプーン及びプレス装置の好ましい実施例を説明する。
【００２３】
図１Ａは本考案の好ましい実施例のストレーナースプーン１０の概略図であり、図１Ｂは図１Ａに示したストレーナースプーン１０が油吸収紙２０に合わせて応用される概略図である。
【００２４】
図１Ａを参照されたい。ストレーナースプーン１０は、柄部１２、皿部１４、及び少なくとも一つのプレスユニット１６を備えている。
【００２５】
図１Ａに示すように、皿部１４は、柄部１２の一端に設けられ、且つ少なくとも一つの濾し孔１４１が形成される。本実施例において、皿部１４は柄部１２の一端に設けられ、柄部１２のもう一端に取っ手（図示せず）が設けられる。なお、柄部１２本体の平面と皿部１４開口の平面とはほぼ平行にしてもよいし、又は平行にしなくてもよいが、本実施例において、柄部１２本体の平面と皿部１４開口の平面は平行せず、それらのなす角は例えば３０度、６０度、９０度、又は任意の適切な角度とすることができ、本考案はこれらに限定されない。注意すべきは、本実施例において、柄部１２と皿部１４は一体的に形成されてもよいし、又はそれぞれ個別な部品として互いに組み合わせて図１Ａに示した構造を構成してもよい。また、皿部１４に一つ以上の濾し孔１４１が形成されることができる。本実施例において、皿部１４には複数の濾し孔１４１が形成され、且つ濾し孔１４１の形状は円形、楕円形、長方形、不規則な形状、任意の適切な形状、又はそれらの組み合わせであり得るし、本考案はこれらに限定されない。
【００２６】
図１Ａに示すように、皿部１４は、皿部１４の縁部に設けられる少なくとも一つの連結構造１４２を更に備え、プレスユニット１６は連結部１６１とプレス部１６２とを有し、その連結部１６１は連結構造１４２に可動的に連結されている。本実施例において、皿部１４は二つの連結構造１４２を有し、ストレーナースプーン１０は二つのプレスユニット１６を有し、二つの連結構造１４２は皿部１４縁部の対向する両側にそれぞれ設けられ、それらのプレスユニット１６の各連結部１６１は、それらに対応する連結構造１４２にそれぞれ可動的に連結されている。また、連結構造１４２、連結部１６１とプレス部１６２の異なる実施形態及びそれらの連結関係について、詳細は後述する。
【００２７】
図１Ｂを参照されたい。本実施例のストレーナースプーン１０は、油吸収紙２０に合わせて使用される。油吸収紙２０は油性物質を吸収する特性を有するため、浮かんだ油及び／又は灰汁の吸着やすくい出しに適している。まず、使用者はプレスユニット１６を掴み、プレスユニット１６を、連結部１６１を介して連結構造１４２に対して移動させて、次に油吸収紙２０を皿部１４に敷設して、最後にプレス部１６２で油吸収紙２０を皿部１４に押し付けて、図１Ｂに示すような組み合わせ構造を得る。よって、食事者はこの組み合わせ構造で浮かんだ油及び／又は灰汁のすくい出しをすることができる。油吸収紙２０は既にプレス部１６２により皿部１４に押し付けられているので、食事者が浮かんだ油及び／又は灰汁のすくい出しをする際に、油吸収紙２０は皿部１４から容易に剥がれることがなく、使用に便利である。なお、食事者は、次のすくい出し動作をするために、プレス部１６２を移動して、油吸収紙２０を簡単に交換することができる。
【００２８】
つまり、本実施例のストレーナースプーン１０を単独で使うとき、ストレーナースプーン１０は本来の機能を果たし、スープ及びスープ上層に浮かんだ油を排除して、鍋の中の食材だけをすくい出すことができる。そして、本実施例のストレーナースプーン１０と油吸収紙２０とを組み合わせて使うとき（図１Ｂ）は、従来の油切り用のストレーナーの油切り機能を果たすことができるので、食事者や店は油切りツール（例えば油切り用のストレーナー）を別で用意する必要がなく、食事中に必要なスプーンの数を効果的に減らせられ、食事者の食事体験と快適性をさらに向上させることができる。
【００２９】
注意すべきは、本考案のストレーナースプーンの構造は、別のデザインを採用してもよい。例えば、図２Ａに示すように、ストレーナースプーン１０ａの柄部１２ａと皿部１４ａは、一本以上の金属糸（例えばステンレス糸）の巻き取りからなるもので、金属糸からなる柄部１２ａ及び網状の皿部１４ａが作成され、こういうストレーナースプーン１０ａは、スパイダーストレーナー（ｓｐｉｄｅｒ  ｓｔｒａｉｎｅｒ）とも呼ばれる。また、ストレーナースプーン１０ａのプレスユニット１６は、図１Ａに示したストレーナースプーン１０のプレスユニット１６とは同じものである。留意すべきは、上記実施形態のストレーナースプーン１０ａは単に例示に過ぎず、本考案を限定するものではなく、本考案はこれに限定されない。
【００３０】
また、図２Ｂに示すように、ストレーナースプーン１０ｂの皿部１４ｂの開口は五辺形であるゆえ、五辺形の収容空間を有し、且つその底部は平面として設計される。更に、柄部１２ｂ本体の平面と皿部１４ｂ開口の平面はほぼ平行であり、こういうストレーナースプーン１０ｂは、ポットストレーナー（ｐｏｔ  ｓｔｒａｉｎｅｒ）やフライングストレーナー（ｆｒｙｉｎｇ  ｓｔｒａｉｎｅｒ）とも呼ばれる。勿論、皿部１４ｂの開口はその他の適切な形状、例えば円形、楕円形、多辺形、又は不規則な形状としてもよく、本考案はこれらに限定されない。また、ストレーナースプーン１０ｂのプレスユニット１６は、図１Ａに示したストレーナースプーン１０のプレスユニット１６とは同じものである。留意すべきは、上記実施形態のストレーナースプーン１０ｂは単に例示に過ぎず、本考案を限定するものではなく、本考案はこれに限定されない。
【００３１】
以下にて図３Ａないし図３Ｃを参照し、連結構造１４２、連結部１６１とプレス部１６２の異なる実施形態及びそれらの連結関係について説明する。
【００３２】
図３Ａに示すように、連結構造１４２は穿孔であり、連結部１６１は環状部材である。詳しく言うと、連結構造１４２は皿部１４の縁部の内側に設けられた穿孔（例えば円孔）であり、連結部１６１は連結構造１４２（穿孔）を貫通した環状部材であるため、連結部１６１は連結構造１４２に対して摺動可能である。また、プレス部１６２は連結部１６１に固接されたゆえに、連結部１６１が連結構造１４２に対して摺動すると、プレス部１６２も連結構造１４２に対して摺動する。なお、プレス部１６２の形状は、皿部１４の裏縁に合わせるためのラジアンを有する概ね長方形である。使用者が実際に使用する際は、まず油吸収紙２０を皿部１４に敷設するようにプレス部１６２を取り上げて、続いてプレス部１６２を降ろして油吸収紙２０を皿部１４に押し付けることにより、浮かんだ油及び／又は灰汁のすくい出し操作を便利に行うことができる。その後、使用者は上記の動作を重複して行うことで、油吸収紙２０を簡単に交換して、次のすくい出し操作をより便利にすることができる。
【００３３】
図３Ｂに示すように、連結構造１４２は環状部材であり、連結部１６１は穿孔である。詳しく言うと、連結構造１４２は皿部１４の縁部の外側に突設された環状部材であり、連結部１６１は連結構造１４２に貫通された穿孔（例えば方孔）であるため、連結部１６１は連結構造１４２に対して摺動可能である。また、プレス部１６２は連結部１６１に固接されたゆえに、連結部１６１が連結構造１４２に対して摺動すると、プレス部１６２も連結構造１４２に対して摺動する。なお、プレス部１６２の形状は、皿部１４の裏縁に合わせるためのラジアンを有する概ね長方形である。使用者が実際に使用する際は、まず油吸収紙２０を皿部１４に敷設するようにプレス部１６２を取り上げて、続いてプレス部１６２を降ろして油吸収紙２０を皿部１４に押し付けることにより、浮かんだ油及び／又は灰汁のすくい出し操作を便利に行うことができる。上述と同様に、使用者は上記の動作を重複して行うことで、油吸収紙２０を簡単に交換して、次のすくい出し操作をより便利にすることができる。
【００３４】
図３Ｃに示すように、連結構造１４２は回転軸であり、連結部１６１は嵌め環である。詳しく言うと、連結構造１４２は皿部１４の縁部の外側に突設された回転軸であり、連結部１６１は連結構造１４２（回転軸）に外嵌した嵌め環であるため、連結部１６１は連結構造１４２に対して回転可能である。また、プレス部１６２は連結部１６１に固接されたゆえに、連結部１６１が連結構造１４２に対して回転すると、プレス部１６２も連結構造１４２に対して回転する。例えば、図３Ｃに破線で示したプレス部１６２は、プレス部１６２が曲線矢印（一点鎖線）に沿って一定の角度を回した後の位置を示したものであり、勿論、プレス部１６２は曲線矢印（一点鎖線）に沿って逆方向に回してもよい。なお、プレス部１６２の形状は、皿部１４の内縁に合わせるためのラジアンを有する概ね長方形である。使用者が実際に使用する際は、まず油吸収紙２０を皿部１４に敷設するようにプレス部１６２を回転し（例えば約１８０度回転）、続いてプレス部１６２を元の位置に戻せるように回転して、油吸収紙２０を皿部１４に押し付ける。これによって、浮かんだ油及び／又は灰汁のすくい出し操作を便利に行うことができる。ここで、プレス部１６２は、先の回転方向に沿ってさらに約１８０度回転して元の位置に戻すことができ（即ち、プレス部１６２は３６０度回転して元の位置に戻れる）、又は先の回転方向の逆方向に沿って約１８０度回転して元の位置に戻すこともできる（即ち、プレス部１６２は左右に回動することで元の位置に戻れる）。また、使用者は上記の動作を重複して行うことで、油吸収紙２０を簡単に交換して、次のすくい出し操作をより便利にすることができる。注意すべきは、その他の実施形態において、連結構造１４２は嵌め環であり得るし、連結部１６１も回転軸であり得る。こういう構造設計は、図３Ｃに示した構造と同じ効果を果たせる。勿論、連結構造１４２と連結部１６１はその他の設計とすることも可能で、本考案はこれらに限定されない。
【００３５】
図４Ａないし図４Ｃを参照されたい。図４Ａは本考案の好ましい実施例のプレス装置３０の概略図であり、図４Ｂは図４Ａのプレス装置３０がストレーナースプーンに応用される概略図であり、図４Ｃは図４Ａのプレス装置３０がストレーナースプーンに応用され、且つ油吸収紙２０が合わせて使用される概略図である。
【００３６】
本考案には、接合部３１と少なくとも一つのプレスユニット３２とを備えるプレス装置３０が更に開示されている。本実施例において、接合部３１は接合機構３１１と接合機構３１１の一方側に設けられた連結構造３１２とを備え、プレスユニット３２は連結部３２１とプレス部３２２とを備え、連結部３２１は連結構造３１２に可動的に連結されている。本実施例において、連結構造３１２と連結部３２１はそれぞれ環状部材と穿孔であるから、連結部３２１は連結構造３１２に対して摺動可能となる。もう一つの実施例において、連結構造３１２と連結部３２１はそれぞれ穿孔と環状部材であり、この構造設計で連結部３２１を連結構造３１２に対して摺動させることもできる。更にもう一つの実施例において、連結構造３１２と連結部３２１はそれぞれ回転軸と嵌め環であり、連結部３２１を連結構造３１２に対して回転させることもできる。注意すべきは、上記の実施形態は単に例示に過ぎず、本考案を限定するものではなく、本考案はこれらに限定されない。
【００３７】
図４Ｂに示すように、使用者が実際に使用する前は、接合機構３１１をストレーナースプーンの皿部４０の縁部に接合し、プレスユニット３２を、連結部３２１を介して連結構造３１２に対して移動させて、プレス部３２２を皿部４０に近づくまたは離れることを可能にする。本実施例において、本実施例に合わせて使用されるストレーナースプーンは、任意の従来のストレーナースプーンとしてもよいし、且つ皿部４０の構造と形状も任意の従来の設計、例えば前述のスパイダーストレーナー、ポットストレーナー、又はフライングストレーナーにしてもよく、本考案はこれらに限定されない。
【００３８】
次に、図４Ｃに示すように、使用者が実際に使用する際は、まず油吸収紙２０を皿部４０に敷設するためにプレス部３２２を取り上げて、油吸収紙２０を敷設し、続いてプレス部３２２を降ろして油吸収紙２０を皿部４０に押し付けることにより、浮かんだ油及び／又は灰汁のすくい出し操作を便利に行うことができる。なお、上述と同様に、使用者は上記の動作を重複して行うことで、油吸収紙２０を簡単に交換して、次のすくい出し操作をより便利にすることができる。
【００３９】
以上をまとめると、本考案には、柄部、皿部及び少なくとも一つのプレスユニットを備えるストレーナースプーンが開示され、前記皿部は少なくとも一つの連結構造を有し、前記プレスユニットは連結部とプレス部とを有し、前記連結部は前記連結構造に可動的に連結される。本考案を使用するとき、前記皿部に油吸収紙が敷設され、前記プレス部が前記油吸収紙を前記皿部に押し付けられるように、前記プレスユニットが前記連結部を介して、前記連結構造に対して移動する。よって、本考案は、ストレーナースプーン及び油吸収紙の組み合わせにより、ストレーナースプーンに特別な油切り機能を追加し、食事中に必要なスプーン（例えば油切り用のストレーナー）の数を効果的に減らしたり、又は当該スプーンに第二の機能性を持たせたりして、食事者の食事体験と快適性をさらに向上させることができる。
【００４０】
また、本考案には、接合部及び少なくとも一つのプレスユニットを備えるプレス装置が更に開示され、前記接合部は接合機構と前記接合機構の一方側に設けられた連結構造とを備え、前記プレスユニットは連結部とプレス部とを備え、前記連結部は前記連結構造に可動的に連結される。本考案を使用するとき、前記接合機構が前記皿部の縁部に接合され、前記油吸収紙が前記皿部に敷設され、前記プレス部が前記油吸収紙を前記皿部に押し付けられるように、前記プレスユニットが前記連結部を介して、前記連結構造に対して移動する。よって、本考案は、プレス装置を介したストレーナースプーン及び油吸収紙を組み合わせて利用することにより、ストレーナースプーンに特別な油切り機能を追加し、食事中に必要なスプーン（例えば油切り用のストレーナー）の数を効果的に減らしたり、又は当該スプーンに第二の機能性を持たせたりして、食事者の食事体験と快適性をさらに向上させることができる。
【００４１】
以上は単に例示に過ぎず、本考案を限定するものではない。本考案の技術思想及び範囲を超えることなく、これに対して行う等価の修正又は変更のいずれも、別紙の実用新案登録請求の範囲に含まれるものである。
【産業上の利用可能性】
【００４２】
本考案は、ストレーナースプーンに特別な油切り機能を追加することができるストレーナースプーン及びプレス装置を提供することにより、食事中に必要なスプーンの数を効果的に減らしたり、又は当該スプーンに第二の機能性を持たせたりすることができる。
【符号の説明】
【００４３】
１０，１０ａ，１０ｂ      ストレーナースプーン
１２，１２ａ，１２ｂ      柄部
１４，１４ａ，１４ｂ，４０      皿部
１４１      濾し孔
１４２      連結構造
１６        プレスユニット
１６１      連結部
１６２      プレス部
２０        油吸収紙
３０        プレス装置
３１        接合部
３１１      接合機構
３１２      連結構造
３２        プレスユニット
３２１      連結部
３２２      プレス部
【図１Ａ】
0003234235.tif 000003
【図１Ｂ】
0003234235.tif 000004
【図２Ａ】
0003234235.tif 000005
【図２Ｂ】
0003234235.tif 000006
【図３Ａ】
0003234235.tif 000007
【図３Ｂ】
0003234235.tif 000008
【図３Ｃ】
0003234235.tif 000009
【図４Ａ】
0003234235.tif 000010
【図４Ｂ】
0003234235.tif 000011
【図４Ｃ】
0003234235.tif 000012